(57)【特許請求の範囲】
【請求項１】
施工体表面を形成するパネルと、該パネル裏面に突出して設けられた上部の連結受アングル及び下部の連結脚アングルとからなり、該パネルは外周縁が複数個の突付合うパネルと規則的に互いに接して壁面を形成する十字形状であり、下部の連結脚アングルはパネルの左右突出部における下端縁より上方へずらした位置に設け、上部の連結受アングルは上部に隣接する２個の型枠ブロックの連結脚アングルに跨がって受ける位置に設けたことを特徴とする自立形型枠ブロック。
【請求項２】
施工体表面を形成するパネルと、該パネル裏面に突出して設けられた上部の連結受アングル及び下部の連結脚アングルとからなり、該パネルは外周縁が複数個の突付合うパネルと規則的に互いに接して壁面を形成する六角形状であり、下部の連結脚アングルはパネルの左右底面部における下端縁より上方へずらした位置に設け、上部の連結受アングルは上部に隣接する２個の型枠ブロックの連結脚アングルに跨がって受ける位置に設けたことを特徴とする自立形型枠ブロック。
【請求項３】
請求項１記載の自立形型枠ブロックを用い、下段の自立形型枠ブロック又は基礎ブロック上に積まれた自立形型枠ブロックの背部へ上部の連結受アングルが埋まらない程度にコンクリートを打設し、更に上段の自立形型枠ブロックの下部の連結脚アングルを前記下段の自立形型枠ブロックの上部連結受アングル上へ載せて固定し、次いで前記同様に積まれた自立形型枠ブロックの背部へ上部の連結受アングルが埋まらない程度にコンクリートを打設することを繰り返して所定高さに築堤又は擁壁を構築することを特徴とする自立形型枠ブロックを用いた施工法。
【請求項４】
請求項２記載の自立形型枠ブロックを用い、下段の自立形型枠ブロック又は基礎ブロック上に積まれた自立形型枠ブロックの背部へ上部の連結受アングルが埋まらない程度にコンクリートを打設し、更に上段の自立形型枠ブロックの下部の連結脚アングルを前記下段の自立形型枠ブロックの上部連結受アングル上へ載せて固定し、次いで前記同様に積まれた自立形型枠ブロックの背部へ上部の連結受アングルが埋まらない程度にコンクリートを打設することを繰り返して所定高さに築堤又は擁壁を構築することを特徴とする自立形型枠ブロックを用いた施工法。
【発明の詳細な説明】
【０００１】
【発明の属する技術分野】
本発明は、複数個の定形のものを使用することによって強固な築堤や擁壁を構築することができる自立形型枠ブロックとそれを用いた施工法に関する。
【０００２】
【従来の技術】
型枠ブロックは、従来の金属や木製の型枠を使用することなく、施工後はそのまま施工体の表面を構成するプレキャストコンクリートブロック版であって、その内側へコンクリートを打設すれば施工体を形成することができ、コンクリートが固化した後も取り除かれることのない表面構成部材である。型枠の役目もすることから通常コンクリート製捨型枠と称されている。施工の能率向上効果や表面が予め工場で製作されることから審美性に富む特徴がある。最近では擁壁のみならず築堤にも使用するようになっており、本発明者は特願平6-211020号、同7-12321号、同7-12322号で提案している。特願平6-211020号は型枠ブロックを法面側に設けた縦方向の鋼材へ固定すると共に、法面内へ一方が固定されたアンカー筋によって縦方向に維持する構造であった。特願平7-12321号はパネル状のコンクリート製捨型枠の背面へ支持アングルを突出させた構造であって、下段の裏打ちコンクリートへ支持アングルをアンカーボルトによって固定するようになっている。特願平7-12322号はほぼコンクリート製捨型枠の高さ程度の支持アングルを背部へ固定して、下段の裏打コンクリートによって固定された支持アングルへ上段の支持アングルを固定するようになっている。
【０００３】
【発明が解決しようとする課題】
特願平6-211020号で示した構造は強度的には十分なものであるが、固定構造としては複雑で煩雑な作業を必要とする。特願平7-12321号で示した構造は、各段毎に裏打コンクリートへ固定していく構造であるから上下左右の隣合うコンクリート版間の関係はない。特願平7-12322号で提案したものは背部構造が簡略化されており、特に築堤用に適しているが、修景面からみて、また、上下左右に隣合うコンクリート版同士の関係において平面強度に改良の余地がある。本発明は修景機能を高めると共に、施工も容易で、かつ施工後の壁面強度が大な自立形型枠ブロック及びそれを用いた施工法を提供する。
【０００４】
【課題を解決するための手段】
上記課題を検討した結果、施工体表面を形成するパネルと、該パネル裏面に突出して設けられた上部の連結受アングル及び下部の連結脚アングルとからなり、該パネルは外周縁が複数個の突付合うパネルと規則的に互いに接して壁面を形成する形状であり、下部の連結脚アングルは起立したパネルの支点を下部から中間部間の上方へ移動させる位置へ突出して設け、上部連結受アングルは上部に隣接する２個の型枠ブロックの連結脚アングルを受ける位置に設けたことを特徴とする自立形型枠ブロックとした。
【０００５】
また、この自立形型枠ブロックを用いた施工法は、自立形型枠ブロックを用いて下段の自立形型枠ブロック又は基礎ブロック上に積まれた自立形型枠ブロックの背部へ上部の連結受アングルが埋まらない程度にコンクリートを打設し、更に上段の自立形型枠ブロックの下部の連結脚アングルを前記下段の自立形型枠ブロックの上部連結受アングル上へ載せて固定し、次いで、前記同様に積まれた自立形型枠ブロックの背部へ上部の連結受アングルが埋まらない程度にコンクリートを打設することを繰り返して所定高さに築堤又は擁壁を構築することを特徴とする。
【０００６】
【発明の実施の形態】
図１〜図３は本発明の自立形型枠ブロック１の十字形のものの施工状態を示す斜視図である。施工体表面を形成するパネル２は図３にその表面を示す。修景を目的として切り石積模様を形成し、四隅それぞれを石積みの１個分だけ切欠いて十字形にしている。従って、このパネルは図５にみられるように外周縁が６個の突合うパネルと規則的に互いに接して壁面を形成するようになっている。
【０００７】
パネル２の裏面にはインサートが植設されており、それに上部へ逆直角三角形の２個の連結受アングル４,４及び、下部へ直角三角形状の２個の連結脚アングル５,５を固定している。下部の連結脚アングル５は起立したパネルの支点をパネル下部から中間部間の上方へ移動させる位置で、かつ、下部に隣接する型枠ブロックの上部の連結受アングル４上へ連結可能に間隔を広く開けて背部へ突出して設けている。上部２個の連結受アングル４,４は上部に隣接する２個の型枠ブロックの連結脚アングルを受けるように下部の連結脚アングルよりも狭い間隔で設けられている。
【０００８】
この自立形型枠ブロックは最下段では図２,図３に見られるように基礎ブロック６の上に載置すると２本の連結脚アングル５,５によって他の支持部材無しに自立する。基礎ブロック６は十字状パネル２の下部突起を受ける切欠部6aを対称位置に有する２個のブロックで１個の自立形型枠ブロックを支持するようになっている。基礎ブロックは２個が一体化されたものでも構わない。一段の自立形型枠ブロックが据付けられると、連結脚アングル５を基礎ブロックに対してボルト止めし、背部へコンクリート７を打設する。コンクリート７の打設程度(高さ)は図１にみられるように連結受アングル４が埋まらない連結脚アングルよりも上位位置迄である。
【０００９】
打設したコンクリート７が固化すると図１のように下段の２個の自立形型枠ブロックの上へ上段の自立形型枠ブロックを載せると、両方の連結受アングル４に跨るように上段の連結脚アングル５が載る。そこで、図４のように下段の連結受アングル４と上段の連結脚アングル５をボルト８止めすることによって、上下段の自立形型枠ブロックを強固に一体化でき、しかも上段の自立形型枠ブロックが支え無しに自立する。自立時の荷重の様子を図８に示す。連結脚アングル５の取付け位置によってパネルの支点をパネル下部から中間部間の上方へ移動させたことによって高荷重のコンクリートブロックでありながら安定に起立支持されている。このとき、上段の自立形型枠ブロックの傾斜調整をする必要性がある場合には、図４にみられる固定ボルトの他に連結脚のみに設けたねじ穴へ調整ボルト９を螺入して調整する。壁面全体では図５に背面を示すように上下左右の自立形型枠ブロックが有機的に連携した壁面を形成するので非常に堅固な構造となっている。
【００１０】
図６には砂防ダム等の築堤時の様子を示す。築堤の前面と背面へこのように上段へ順次施工し、内部へコンクリートを打設することによって、必要な高さの堤を造ることができる。
【００１１】
図７は本発明の自立形型枠ブロックの他の実施例の施工状態背面図である。この例はパネル１が六角形であって、前記実施例同様に上部へ２個の連結受アングル４,４及び、下部へ２個の連結脚アングル５,５を固定している。下部の連結脚アングル５は下部に隣接する自立形型枠ブロック１の上部の連結受アングル４上へ連結可能に背部へ突出して設け、上部２個の連結受アングル４,４は上部に隣接する２個の型枠ブロックの連結脚アングルを受けるように設けられている。施工方法は前記実施例にほぼ同じで下段の自立形型枠ブロック又は基礎ブロック上に積まれた自立形型枠ブロックの背部へ上部の連結受アングルが埋まらない程度にコンクリートを打設し、更に上段の自立形型枠ブロックの下部の連結脚アングルを前記下段の自立形型枠ブロックの上部連結受アングル上へ載せて固定し、次いで前記同様に積まれた自立形型枠ブロックの背部へ上部の連結受アングルが埋まらない程度にコンクリートを打設することを繰り返して所定高さに築堤又は擁壁を構築するのである。
【００１２】
【発明の効果】
本発明は以上のように、修景面で優れると共に、自立するので施工も容易であり、かつ施工後の壁面強度や堤の強度、更に耐久性が大な特徴がある。
【図面の簡単な説明】
【図１】図１は本発明の自立形型枠ブロックを築堤に使用して施工している様子を示す背面斜視図である。
【図２】基礎ブロック上に本発明の自立形型枠ブロックを積んでいる様子を示す背面斜視図である。
【図３】同正面斜視図である。
【図４】連結脚アングルと連結受アングルの結合状態を示す側面図である。
【図５】自立形型枠ブロックの多数個を用いた結合状態を示す背面図である。
【図６】砂防ダム等の築堤時の様子を示す側面図である。
【図７】本発明の自立形型枠ブロックの他の実施例の結合状態背面図である。
【図８】本発明の自立形型枠ブロックの荷重状態概略図である。
【符号の説明】
１  自立形型枠ブロック
２  パネル
４  連結受アングル
５  連結脚アングル
６  基礎ブロック
７  打設コンクリート
８  ボルト
９  調整ボルト
【図１】
0003723266.tif 000002
【図２】
0003723266.tif 000003
【図３】
0003723266.tif 000004
【図４】
0003723266.tif 000005
【図５】
0003723266.tif 000006
【図６】
0003723266.tif 000007
【図７】
0003723266.tif 000008
【図８】
0003723266.tif 000009